(57)【要約】【課題】  監視領域内において異常が発生した際に、即座にその異常場所の様子を確認することができる画像表示装置を実現する。【解決手段】  監視装置は、センサと該センサの異常検知範囲を撮像するカメラとを対応付けて記憶する対応テーブル管理部１６と、センサから異常検知信号を受信する信号判断部２３と、対応テーブル管理部１６を参照して、異常検知信号の発信元であるセンサに対応するカメラを特定するカメラ決定部２５と、決定したカメラからの映像を表示部１１に表示するカメラ映像表示処理部２７とを備える。これにより、ユーザは、異常が発生したときに即座に、該異常が発生した場所の様子を表示部で確認することができる。【選択図】  図１
2007049378.tif 000002
【特許請求の範囲】
【請求項１】
監視領域内の異常を検知する複数のセンサおよび監視領域内に設置された複数のカメラと通信可能であり、表示部を備えた画像表示装置であって、
上記各センサと、該センサの異常検知範囲を撮像する上記カメラとを対応付けて記憶する対応テーブル記憶部と、
上記センサから異常検知信号を受信する信号受信手段と、
上記信号受信手段によって受信された異常検知信号から該異常検知信号の発信元のセンサを特定するセンサ特定手段と、
上記対応テーブル記憶部を参照して、上記センサ特定手段によって特定されたセンサに対応するカメラを特定するカメラ特定手段と、
上記カメラ特定手段が特定したカメラからの映像を上記表示部に表示させるカメラ映像表示手段とを備えることを特徴とする画像表示装置。
【請求項２】
上記信号受信手段が異常検知信号を受信した場合に、予め記憶していた監視領域内の間取り図を上記表示部に表示させる間取り図表示手段と、
上記各センサと、上記間取り図上における該センサの設置箇所に対応する表示エリアとを対応付けた表示エリア情報を記憶する表示エリア情報記憶部と、
上記信号受信手段が異常検知信号を受信した場合に、該異常検知信号から上記センサ特定手段によって特定されたセンサに対応する表示エリアを、上記表示エリア情報記憶部に記憶された表示エリア情報から特定し、特定した表示エリアに異常が発生したことを示すセンサ画像を表示させる異常センサ画像表示手段とを備え、
上記カメラ映像表示手段は、上記異常センサ画像表示手段がセンサ画像を表示した後に、上記カメラ特定手段が特定したカメラからの映像を表示させることを特徴とする請求項１に記載の画像表示装置。
【請求項３】
ユーザからの入力指示に従って、上記間取り図表示手段と異常センサ画像表示手段との機能のオン／オフを切り換える切換手段を備えることを特徴とする請求項２に記載の画像表示装置。
【請求項４】
上記対応テーブル記憶部は、上記各センサと、該センサの異常検知範囲を撮像するカメラを含む複数のカメラとを対応付けて記憶しており、
カメラ映像表示手段は、上記カメラ特定手段が特定した全てのカメラからの映像を同時に表示部に表示させることを特徴とする請求項１に記載の画像表示装置。
【請求項５】
監視領域内の異常を検知する複数のセンサおよび監視領域内に設置された複数のカメラと通信可能であり、表示部を備えた画像表示装置の制御方法であって、
上記画像表示装置は、上記各センサと、該センサの異常検知範囲を撮像する上記カメラとを対応付けて記憶する対応テーブル記憶部を備えており、
上記センサから異常検知信号を受信する信号受信ステップと、
受信された異常検知信号から該異常検知信号の発信元のセンサを特定するセンサ特定ステップと、
特定されたセンサに対応するカメラを、上記対応テーブル記憶部を参照して特定するカメラ特定ステップと、
特定されたカメラからの映像を上記表示部に表示させるカメラ映像表示ステップとを含むことを特徴とする制御方法。
【請求項６】
請求項１〜４のいずれか１項に記載の画像表示装置を動作させる画像表示プログラムであって、コンピュータを上記の各手段として機能させるための画像表示プログラム。
【請求項７】
請求項６に記載の画像表示プログラムを記録したコンピュータ読み取り可能な記録媒体。
【発明の詳細な説明】
【技術分野】
【０００１】
本発明は、監視領域内の異常を検知する複数のセンサと監視領域内に設置された複数のカメラと通信可能であり、表示部を備えた画像表示装置に関するものである。
【背景技術】
【０００２】
昨今、宅内への不審者の侵入をチェックするためのセキュリティに関心が寄せられており、安価なセキュリティシステムも市場に出回っている。例えば、赤外線検出器付きライト、窓ガラスの振動で警告音を鳴らす警報装置等の商品が販売されている。
【０００３】
特許文献１には、センサの設置箇所に対応した位置に該センサのシンボルが表示された表示画面において、異常を検知したセンサに対応するシンボルを点滅或いは赤色で表示する技術が開示されている。
【０００４】
また、特許文献２には、カメラの設置箇所に対応した位置に該カメラのシンボルが表示された表示画面において、カメラシンボルが映像表示領域にドラッグアンドドロップされたことで、該カメラシンボルに対応するカメラからの動画像を表示する技術が開示されている。
【特許文献１】特開昭６４−１３８５３（１９８９年１月１８日公開）
【特許文献２】特開平９−２８９６０６（１９９７年１１月４日公開）
【発明の開示】
【発明が解決しようとする課題】
【０００５】
しかしながら、上記特許文献１の記載の技術では、ユーザは、異常が検知されたことを認識できるが、異常が検知された場所の様子を確認するためには、その場所に行かなければならない。そのため、異常の詳しい内容を即座に確認できないという問題がある。
【０００６】
また、上記特許文献２の記載の技術では、ユーザは、移動することなく、様々な場所の様子を確認することができるものの、設置したカメラの数が多い場合、全てのカメラの映像を常に確認することが困難である。そのため、何らかの異常が発生していたとしても、その異常を見逃してしまう可能性がある。
【０００７】
本発明は、上記の問題点に鑑みてなされたものであり、その目的は、監視領域内において異常が発生した際に、即座にその異常場所の様子を確認することができる画像表示装置を実現することにある。
【課題を解決するための手段】
【０００８】
本発明に係る画像表示装置は、上記課題を解決するために、監視領域内の異常を検知する複数のセンサおよび監視領域内に設置された複数のカメラと通信可能であり、表示部を備えた画像表示装置であって、上記各センサと、該センサの異常検知範囲を撮像する上記カメラとを対応付けて記憶する対応テーブル記憶部と、上記センサから異常検知信号を受信する信号受信手段と、上記信号受信手段によって受信された異常検知信号から該異常検知信号の発信元のセンサを特定するセンサ特定手段と、上記対応テーブル記憶部を参照して、上記センサ特定手段によって特定されたセンサに対応するカメラを特定するカメラ特定手段と、上記カメラ特定手段が特定したカメラからの映像を上記表示部に表示させるカメラ映像表示手段とを備えることを特徴としている。
【０００９】
また、本発明に係る画像表示装置の制御方法は、監視領域内の異常を検知する複数のセンサおよび監視領域内に設置された複数のカメラと通信可能であり、表示部を備えた画像表示装置の制御方法であって、上記画像表示装置は、上記各センサと、該センサの異常検知範囲を撮像する上記カメラとを対応付けて記憶する対応テーブル記憶部を備えており、上記センサから異常検知信号を受信する信号受信ステップと、受信された異常検知信号から該異常検知信号の発信元のセンサを特定するセンサ特定ステップと、特定されたセンサに対応するカメラを、上記対応テーブル記憶部を参照して特定するカメラ特定ステップと、特定されたカメラからの映像を上記表示部に表示させるカメラ映像表示ステップとを含むことを特徴とする。
【００１０】
ここで、センサとは、人間の存在を検知する人感センサ、窓ガラスに設置した振動を検知する振動センサ、ガス漏れを検知するガスセンサ、火災の発生を検知する火災センサなどである。
【００１１】
上記の構成または方法によれば、各センサと、該センサの異常検知範囲を撮像するカメラとを対応付けて記憶している。そして、センサから異常検知信号を受信した際に、該異常検知信号の発信元であるセンサに対応するカメラからの映像を表示部に表示する。これにより、ユーザは、異常が発生したときに即座に、該異常が発生した場所の様子を表示部で確認することができる。
【００１２】
さらに、本発明に係る画像表示装置は、上記の構成に加えて、上記信号受信手段が異常検知信号を受信した場合に、予め記憶していた監視領域内の間取り図を上記表示部に表示させる間取り図表示手段と、上記各センサと、上記間取り図上における該センサの設置箇所に対応する表示エリアとを対応付けた表示エリア情報を記憶する表示エリア情報記憶部と、上記信号受信手段が異常検知信号を受信した場合に、該異常検知信号から上記センサ特定手段によって特定されたセンサに対応する表示エリアを、上記表示エリア情報記憶部に記憶された表示エリア情報から特定し、特定した表示エリアに異常が発生したことを示すセンサ画像を表示させる異常センサ画像表示手段とを備え、上記カメラ映像表示手段は、上記異常センサ画像表示手段がセンサ画像を表示した後に、上記カメラ特定手段が特定したカメラからの映像を表示させる。
【００１３】
上記の構成によれば、センサから異常検知信号を受信した場合に、監視領域内の間取り図を表示するとともに、該間取り図上において、異常検知信号を送信したセンサの設置箇所に対応する位置に、異常が発生したことを示すセンサ画像を表示する。そして、その後に異常検知信号の発信元であるセンサに対応するカメラからの映像を表示する。これにより、まず最初に、ユーザは、異常が発生した場所を認識することができ、その場所の様子を続けて確認することができる。
【００１４】
さらに、本発明に係る画像表示装置は、上記の構成に加えて、ユーザからの入力指示に従って、上記間取り図表示手段と異常センサ画像表示手段との機能のオン／オフを切り換える切換手段を備える。
【００１５】
ユーザによっては、カメラからの映像を見るだけで、その映像がどの場所であるかを認識できる場合がある。このような場合、ユーザは、監視領域内の間取り図を見る必要がない。
【００１６】
上記の構成によれば、ユーザからの入力指示に従って、上記間取り図表示手段と異常センサ画像表示手段との機能のオン／オフを切り換えるため、ユーザは、監視領域内の間取り図を見る必要がない場合、間取り図表示手段と異常センサ画像表示手段との機能をオフに切り換えることができる。これにより、ユーザは、センサが異常を検知した際に、即座に異常が発生した場所の映像を確認することができる。
【００１７】
さらに、本発明に係る画像表示装置は、上記の構成に加えて、上記対応テーブル記憶部は、上記各センサと、該センサの異常検知範囲を撮像するカメラを含む複数のカメラとを対応付けて記憶しており、カメラ映像表示手段は、上記カメラ特定手段が特定した全てのカメラからの映像を同時に表示部に表示させる。
【００１８】
上記の構成によれば、ユーザは、異常が発生した際に、一瞬にして広い範囲の映像を確認することができる。例えば、異常の原因が不審者のように移動する場合であっても、該不審者の居場所を特定しやすくなる。
【００１９】
なお、上記画像表示装置は、コンピュータによって実現してもよく、この場合には、コンピュータを上記各手段として動作させることにより上記画像表示装置をコンピュータにて実現させる画像表示プログラム、およびそれを記録したコンピュータ読み取り可能な記録媒体も、本発明の範疇に入る。
【発明の効果】
【００２０】
本発明に係る画像表示装置は、監視領域内の異常を検知する複数のセンサと監視領域内に設置された複数のカメラと通信可能であり、表示部を備えた画像表示装置であって、上記各センサと、該センサの異常検知範囲を撮像する上記カメラとを対応付けて記憶する対応テーブル記憶部と、上記センサから異常検知信号を受信する信号受信手段と、上記対応テーブル記憶部を参照して、上記信号受信手段が受信した異常検知信号の発信元であるセンサに対応するカメラを特定するカメラ特定手段と、上記カメラ特定手段が特定したカメラからの映像を上記表示部に表示するカメラ映像表示手段とを備える。それゆえ、ユーザは、異常が発生したときに即座に、該異常が発生した場所の様子を表示部で確認することができる。
【発明を実施するための最良の形態】
【００２１】
本発明の一実施形態について図１ないし図１２に基づいて説明すると以下の通りである。図２は、本実施形態に係る画像表示装置を含むセキュリティシステムを示すブロック図である。図２に示されるように、セキュリティシステムは、監視装置（画像表示装置）１と、監視領域である、家屋内、家屋の外壁および家屋の周辺（庭や家屋を囲む塀など）に設置された複数のセンサ２（２ａ，２ｂ，…）、カメラ３（３ａ，３ｂ，…）、および、センサ内蔵カメラ４（４ａ，４ｂ，…）とを備えている。センサ２，カメラ３およびセンサ内蔵カメラ４と監視装置１とは、ＬＡＮ（Local Area Network）で通信可能に接続されている。また、監視装置１はインターネット網に接続している。
【００２２】
センサ２（２ａ，２ｂ，…）は、人体から発散する熱線を感知することで、人間の存在を検知する人感センサである。センサ２は、指向性を有しており、特定の方向に人間が存在するか否かを検知する。複数のセンサ２ａ，２ｂ，…は、監視領域内の様々な位置に設置されている。また、センサ２は、人間の存在を検知した場合、その旨を示す異常検知信号をＬＡＮを介して監視装置１に出力する。
【００２３】
カメラ３は、監視領域内の様々な位置に設置され、監視装置１からの指示に応じて、撮像した映像信号を監視装置１に送信する。カメラ３は、センサ２が人間を検知する範囲を撮像することができるように設置されている。なお、カメラ３が設置される位置は、センサ２と同じ位置でも異なる位置でもよく、センサ２が検知した不審者を撮像し易い位置に設置されていればよい。
【００２４】
センサ内蔵カメラ４は、上記センサ２の機能が内蔵されたカメラである。センサ内蔵カメラ４は、人間の存在を検知したことを示す異常検知信号を監視装置１に出力するとともに、監視装置１からの指示に応じて撮像した映像信号を監視装置１に送信する。
【００２５】
監視装置１は、監視領域内への不審者の侵入を監視する装置であり、センサ２、カメラ３およびセンサ内蔵カメラ４を示すアイコン（以下、総称して述べる場合にはセンサ／カメラアイコンと、センサ２のみに対応する場合にはセンサアイコンと、カメラ３およびセンサ内蔵カメラ４に対応する場合にはカメラアイコンという）が重畳された監視領域内の間取り図、ならびに、カメラ３およびセンサ内蔵カメラ４が撮像した映像を表示するものである。また、監視装置１は、監視機能とは別のアプリケーション（本実施形態では、ブラウザ閲覧アプリケーション）も動作することができる。すなわち、監視装置１は、セキュリティに関する処理（セキュリティ処理）と、ブラウザ閲覧処理とを行う。
【００２６】
図１は、監視装置１の内部構成を示すブロック図である。図１に示されるように、監視装置１は、表示部１１、タッチパネル１２、タッチパネル制御回路１３、通信制御回路（信号受信手段）１４、画像情報管理部（表示エリア情報記憶部）１５、対応テーブル管理部（対応テーブル記憶部）１６および制御部１７を備えている。また、監視装置１は、図示しない電源回路を備えており、ＡＣ電源から電力を受ける。また、監視装置１は、タッチパネル１２の他に、ユーザからの入力手段として操作キーやマウスを備えている。
【００２７】
表示部１１は、例えば、液晶ディスプレイと、制御部１７からの表示データを記憶し、制御部１７からの指示に応じて該表示データに応じた画像を液晶ディスプレイに表示するための液晶ドライバと、液晶ディスプレイのバックライトを点灯するための点灯回路とを備えている。
【００２８】
タッチパネル１２は、表示部１１の表示画面の上に取り付けられ、ユーザからの操作を受け付ける入力装置である。
【００２９】
タッチパネル制御回路１３は、タッチパネル１２の押下位置を検出するための回路であり、検出した押下位置座標を制御部１７に出力する。
【００３０】
通信制御回路１４は、ＬＡＮまたはインタネット網と接続する回路である。通信制御回路１４は、ＬＡＮを介して、センサ２、カメラ３およびセンサ付きカメラ４と通信するとともに、インタネット網を介して、Ｗｅｂサーバと通信する。
【００３１】
画像情報管理部１５は、センサ／カメラアイコンが重畳された監視領域内の間取り図を表示部１１に表示するための画像情報を管理するものである。画像情報管理部１５は、間取り図用オブジェクト情報１５ａと、アイコン用オブジェクト情報１５ｂと、背景画像情報１５ｃとを管理しており、制御部１７の指示に応じてこれらの情報を更新する。
【００３２】
間取り図用オブジェクト情報１５ａは、監視領域内の間取り図を構成する各部屋（４．５畳、６畳、８畳など）のシンボル画像を表示するためのオブジェクト情報である。すなわち、間取り図用オブジェクト情報１５ａには、各シンボル画像に関して、表示画面上の位置を示すシンボル表示エリア情報と、形状や線幅、色などのシンボル画像属性情報とが含まれている。
【００３３】
アイコン用オブジェクト情報１５ｂは、センサ２、カメラ３およびセンサ内蔵カメラ４を示すセンサ／カメラアイコンを表示するためのオブジェクト情報である。すなわち、アイコン用オブジェクト情報１５ｂには、各センサ／カメラアイコンに関して、表示画面上の位置を示すアイコン表示エリア情報と、形状や線幅、色などのアイコン属性情報とが含まれている。
【００３４】
背景画像情報１５ｃは、間取り図の背景画像を示すビットマップ形式等の画像データである。
【００３５】
対応テーブル管理部１６は、センサ２、カメラ３およびセンサ内蔵カメラ４の各々に関して、機器を識別するための識別情報（本実施形態では、機器の名称である「センサ２ａ」，…，「カメラ３ａ」，…，「センサ内蔵カメラ４ａ」，…）と、アドレス（本実施形態では、ＬＡＮ内で識別可能なアドレス、および、各機器固有の４８ビットのＭＡＣアドレス）と、関連する他のセンサ２又はカメラ３を示す関連センサ／カメラ情報と、対応するセンサ／カメラアイコンのアイコン表示エリア情報とを対応付けた対応テーブルを管理するものである。後述するように、対応テーブル管理部１６が管理する対応テーブルは、制御部１７によって作成される。
【００３６】
なお、関連センサ／カメラ情報とは、センサ２およびセンサ内蔵カメラ４と、これらが異常を検知した場合に監視装置１に映像を表示するカメラ３およびセンサ内蔵カメラ４との対応関係を示す情報である。
【００３７】
図３は、対応テーブル管理部１６が管理する対応テーブルの一例を示す図である。図３に示されるように、対応テーブル管理部１６は、例えば、カメラ３ａに関して、名称「カメラ３ａ」、ＬＡＮ内のアドレス「ＬＡＤＤ１」、ＭＡＣアドレス「00:11:22:33:AA:00」、関連センサ／カメラ情報「センサ２ａ」、アイコン表示エリア情報「Ｘ１、Ｘ１’、Ｙ１、Ｙ１’」を対応付けて管理している。
【００３８】
制御部１７は、監視装置１内の各ブロックを制御するものであり、起動指示受付部２０、登録処理部２１、間取り図表示処理部（間取り図表示手段）２２、信号判断部（センサ特定手段）２３、押下アイコン特定部２４、カメラ決定部（カメラ特定手段）２５、アイコン表示変更部（異常センサ画像表示手段）２６、カメラ映像表示処理部（カメラ映像表示手段）２７およびアプリ処理部２８を備えている。
【００３９】
起動指示受付部２０は、起動ボタンを表示部１１に表示し、ユーザからの起動指示を受け付けるものである。起動指示受付部２０は、タッチパネル制御回路１３からの押下位置座標が起動ボタンの位置と一致する場合、所定のブロックへ処理開始指示を出力する。
【００４０】
登録処理部２１は、ユーザからの入力指示に従って、センサ／カメラアイコンが重畳された監視領域内の間取り図を作成するとともに、上記対応テーブルを対応テーブル管理部１６に登録する処理を行うものである。
【００４１】
具体的には、登録処理部２１は、図４に示されるように、表示画面の領域Ａに、部屋の大きさに応じた複数のシンボル画像Ｓおよびセンサ／カメラアイコンＩを表示する。そして、登録処理部２１は、ユーザに対して、監視領域内の間取りに応じたシンボル画像Ｓの移動指示と、センサ２、カメラ３およびセンサ内蔵カメラ４の設置箇所に応じたセンサ／カメラアイコンＩの移動指示の入力を促す。すなわち、ユーザは、実際の監視領域である家屋内および家屋の周囲の間取りになるように、領域Ａのシンボル画像Ｓを領域Ｂに移動させる操作を行う。また、ユーザは、実際の設置箇所に従って、領域Ａのセンサ／カメラアイコンＩを領域Ｂに移動させる操作を行う。
【００４２】
また、登録処理部２１は、ユーザからの選択指示に応じて、予め記憶している複数種類の背景画像の中から、間取り図の背景に表示する背景画像を決定する。
【００４３】
登録処理部２１は、ユーザの操作に従って作成した間取り図を構成する各シンボル画像について、表示画面上の位置を示すシンボル表示エリア情報と形状や線幅、色などを示すシンボル画像属性情報とを含む間取り図用オブジェクト情報１５ａを生成し、画像情報管理部１５に格納する。また、登録処理部２１は、ユーザの操作に従って配置した各センサ／カメラアイコンについて、表示画面上の位置を示すアイコン表示エリア情報と形状や線幅、色などを示すアイコン画像属性情報とを含むアイコン用オブジェクト情報１５ｂを生成し、画像情報管理部１５に格納する。さらに、登録処理部２１は、決定した背景画像の背景画像情報１５ｃを画像情報管理部１５に登録する。
【００４４】
なお、登録処理部２１は、アイコン表示エリア情報として、センサ／カメラアイコンを含む最小の矩形のうち、対角位置にある２頂点の座標を、アイコン用オブジェクト情報１５ｂに含めることとする。図５に示されるように、登録処理部２１は、三角形状のセンサ／カメラアイコンに関して、該アイコンを含む矩形の対角位置にある２頂点の座標である（ｘ１，ｙ１）（ｘ１’、ｙ１’）をアイコン表示エリア情報とする。
【００４５】
さらに、登録処理部２１は、ユーザの操作に従って配置した各センサ／カメラアイコンについて、対応するセンサ２、カメラ３およびセンサ内蔵カメラ４の名称、アドレス（ＬＡＮ内のアドレスおよびＭＡＣアドレス）、関連センサ／カメラ情報の入力をユーザに促す。このとき、ユーザは、ある領域に侵入した不審者を検知するセンサ２またはセンサ内蔵カメラ４と、該領域を撮像するカメラ３またはセンサ内蔵カメラ４とが関連するように、関連センサ／カメラ情報を入力することができる。
【００４６】
そして、登録処理部２１は、各センサ／カメラアイコンについて、入力された名称、アドレスおよび関連センサ／カメラ情報と、アイコン表示エリア情報とを対応付けた対応テーブルを生成し、対応テーブル管理部１６に登録する。
【００４７】
間取り図表示処理部２２は、画像情報管理部１５が管理する情報１５ａ・１５ｂ・１５ｃに基づいて、センサ／カメラアイコンが重畳された監視領域内の間取り図を表示する処理を行うものである。
【００４８】
具体的には、間取り図表示処理部２２は、画像情報管理部１５から背景画像情報１５ｃを読み出し、読み出した背景画像情報１５ｃが示す全て背景画像を表示部１１に表示させる。さらに、間取り図表示処理部２２は、画像情報管理部１５から間取り図用オブジェクト情報１５ａを読み出し、該情報１５ａのシンボル画像属性情報に従ってシンボル画像を作成し、該情報１５ａのシンボル表示エリア情報が示す位置に、作成したシンボル画像を表示する。さらに、間取り図表示処理部２２は、画像情報管理部１５からアイコン用オブジェクト情報１５ｂを読み出し、該情報１５ｂのアイコン属性情報に従ってセンサ／カメラアイコンを作成し、該情報１５ｂのアイコン表示エリア情報が示す位置に、作成したセンサ／カメラアイコンを表示させる。
【００４９】
信号判断部２３は、通信制御回路１４が外部の機器から受信した受信信号の種類を解析するものである。信号判断部２３は、受信信号がセンサ２またはセンサ内蔵カメラ４からの異常検知信号である場合に、該異常検知信号に含まれる送信元のアドレスをカメラ決定部２５およびアイコン表示変更部２６に出力するとともに、処理開始指示を間取り図表示処理部２２に、中断指示をアプリ処理部２８に出力する。つまり、信号判断部２３は、異常検知信号に含まれるアドレスを基に、発信元のセンサ２またはセンサ内蔵カメラ４を特定する。
【００５０】
押下アイコン特定部２４は、タッチパネル制御回路１３から受けた押下位置座標と一致するアイコン表示エリア情報が対応テーブル管理部１６が管理する対応テーブルにあるか否かを判断するものである。押下アイコン特定部２４は、押下位置座標と一致するカメラアイコンのアイコン表示エリア情報がある場合、該アイコン表示エリア情報をアイコン表示変更部２６に出力する。さらに、押下アイコン特定部２４は、押下位置座標と一致するカメラアイコンのアイコン表示エリア情報がある場合、該アイコン表示エリア情報に対応するアドレスを対応テーブル管理部１６から読み出し、読み出したアドレスをカメラ映像表示処理部２７に出力する。
【００５１】
カメラ決定部２５は、信号判断部２３からアドレスを受けた場合に、どのカメラ３またはセンサ内蔵カメラ４からの映像を表示部１１に表示するかを決定するものである。
【００５２】
具体的には、カメラ決定部２５は、信号判断部２３からアドレスを受けた場合、受けたアドレスに対応する関連センサ／カメラ情報を、対応テーブル管理部１６が管理する対応テーブルから読み出す。そして、カメラ決定部２５は、読み出した関連センサ／カメラ情報が示すカメラ３又はセンサ内蔵カメラ４からの映像を表示すると決定する。
【００５３】
さらに、カメラ決定部２５は、その映像を表示すると決定したカメラ３またはセンサ内蔵カメラ４が有するアドレスを対応テーブル管理部１６から読み出し、読み出したアドレスをカメラ画像表示処理部２７に出力する。
【００５４】
カメラ画像表示処理部２７は、カメラ決定部２５または押下アイコン特定部２４から受けたアドレスを有するカメラ３またはセンサ内蔵カメラ４に対して、映像信号を監視装置１に送信する旨の映像要求信号を出力する。そして、カメラ画像表示処理部２７は、映像要求信号を送信したカメラ３またはセンサ内蔵カメラ４から受信した映像信号をデコードし、表示部１１に表示する。
【００５５】
アイコン表示変更部２６は、表示部１１に表示されているセンサ／カメラアイコンのうち、特定のセンサ／カメラアイコンの表示方法を変更する処理を行うものである。例えば、アイコン表示変更部２６は、特定のセンサ／カメラアイコンに対して、点滅表示、色の変更、サイズの変更などの処理を行う。なお、本実施形態では、アイコン表示変更部２６は、特定のセンサ／カメラアイコンを点滅表示するものとする。
【００５６】
具体的には、アイコン表示変更部２６は、信号判断部２３から受けたアドレスに対応するアイコン表示エリア情報を対応テーブル管理部１６から読み出し、読み出したアイコン表示エリア情報が示す表示画面上の位置に表示されているセンサアイコンを点滅させる処理を行う。
【００５７】
また、アイコン表示変更部２６は、押下アイコン特定部２４から受けたアイコン表示エリア情報が示す表示画面上の位置に表示されているカメラアイコンを点滅させる処理を行う。
【００５８】
アプリ処理部２８は、ブラウザ閲覧アプリケーションを動作させる処理を行うものである。アプリ処理部２８は、ユーザからの入力指示に従って、通信制御回路１４を介してインターネット網に接続し、表示部１１にＷｅｂページを表示させる処理を行う。これにより、ユーザは、監視装置１をブラウザ閲覧にも使用することができる。
【００５９】
また、アプリ処理部２８は、ブラウザ閲覧アプリケーションを動作している際に信号判断部２３から中断指示を受けると、動作していた処理を中断する。
【００６０】
（監視装置の処理の流れ）
次に、監視装置１における処理の流れについて説明する。監視装置１は、ユーザからの起動指示に応じて処理を開始する場合と、外部の機器からの信号によって処理を開始する場合の２つのパターンがある。そこで、各パターンに分けて処理の流れを説明する。
【００６１】
（ユーザからの起動指示に応じた処理）
まず、ユーザからの起動指示に応じて処理を開始する場合の処理の流れについて図６のフローチャートを参照しながら説明する。
【００６２】
まず、起動指示受付部２０は、ユーザからの起動指示の有無を確認する（Ｓ１）。具体的には、起動指示受付部２０は、セキュリティ処理の起動ボタンと、ブラウザ閲覧処理の起動ボタンとを表示部１１に表示させる。そして、起動指示受付部２０は、タッチパネル制御回路１３からの押下位置座標がいずれかの起動ボタンの位置と一致する場合、起動指示有と判断する。また、押下位置座標が起動ボタンの位置と一致しない場合、起動指示無と判断する。起動指示無の場合（Ｓ１でＮｏ）、再度Ｓ１の処理に戻る。
【００６３】
起動指示有の場合（Ｓ１でＹｅｓ）、起動指示受付部２０は、押下位置座標がセキュリティ処理の起動ボタンおよびブラウザ閲覧処理の起動ボタンのいずれの位置と一致するかを判断する（Ｓ２）。
【００６４】
押下位置座標がブラウザ閲覧処理の起動ボタンと一致する場合（Ｓ２でブラウザ）、起動指示受付部２０は、アプリ処理部２８に起動指示を送る。そして、アプリ処理部２８は、通信制御回路１４を介してインタネット網と接続し、Ｗｅｂページを液晶ディスプレイに表示して（Ｓ３）、ユーザに対する閲覧処理を行う。
【００６５】
押下位置座標がセキュリティ処理の起動ボタンと一致する場合（Ｓ２でセキュリティ）、起動指示受付部２０は、画像情報管理部１５を参照し、情報１５ａ・１５ｂ・１５ｃが登録済みであるか否かを判断する（Ｓ４）。
【００６６】
登録済みである場合（Ｓ４でＹｅｓ）、Ｓ６の処理に移行する。一方、未登録である場合（Ｓ４でＮｏ）、起動指示受付部２０は、登録処理部２１に対して処理開始指示を送る。
【００６７】
処理開始指示を受けた登録処理部２１は、図４に示されるように、複数種類のシンボル画像Ｓおよびセンサ／カメラアイコンＩを表示させ、ユーザが入力した操作指示に応じて、該シンボル画像Ｓおよびセンサ／カメラアイコンＩの位置を決定する。また、登録処理部２１は、ユーザが入力した選択指示に応じて、間取り図の背景画像を決定する。
【００６８】
そして、登録処理部２１は、間取り図を構成する各シンボル画像のシンボル表示エリア情報およびシンボル画像属性情報を含む間取り図用オブジェクト情報１５ａと、間取り図上に配置された各センサ／カメラアイコンのアイコン表示エリア情報およびアイコン属性情報を含むアイコン用オブジェクト情報１５ｂと、決定した背景を示す背景画像情報１５ｃとを生成し、生成した情報１５ａ・１５ｂ・１５ｃを画像情報管理部１５に登録する。
【００６９】
また、登録処理部２１は、各センサ／カメラアイコンに関して、入力された名称、ＬＡＮ内のアドレス、ＭＡＣアドレスおよび関連センサ／カメラ情報と、アイコン表示エリア情報とを対応付けた対応テーブルを生成し、生成した対応テーブルを対応テーブル管理部１６に登録する（Ｓ５）。その後、Ｓ６の処理に移行する。
【００７０】
次に、Ｓ６において、起動指示受付部２０は、間取り図表示処理部２２に処理開始指示を送る。そして、間取り図表示処理部２２は、背景画像、間取り図、センサ／カメラアイコンの表示処理を行う。なお、Ｓ６の詳細な処理の流れについては、後述する。
【００７１】
その後、押下アイコン特定部２４は、タッチパネル１２が押下されたか否かを判断する（Ｓ７）。具体的には、押下アイコン特定部２４は、タッチパネル制御回路１３から押下位置座標を受けたか否かを判断する。
【００７２】
タッチパネル１２が押下されない場合（Ｓ７でＮｏ）、再度Ｓ７の処理を繰り返す。一方、タッチパネル１２が押下された場合（Ｓ７でＹｅｓ）、押下アイコン特定部２４は、押下位置座標に応じた処理を行う（Ｓ８）。なお、Ｓ８の処理の詳細な流れについては後述する。
【００７３】
（間取り図等の表示処理）
次に、上記Ｓ６の間取り図等の表示処理の詳細な流れについて、図７に示すフローチャートを参照しながら説明する。
【００７４】
まず、間取り図表示処理部２２は、画像情報管理部１５から背景画像情報１５ｃ、間取り図用オブジェクト情報１５ａおよびアイコン用オブジェクト情報１５ｂを読み出す（Ｓ１１）。
【００７５】
次に、間取り図表示処理部２２は、背景画像情報１５ｃに背景画像データが含まれるか否かを確認する（Ｓ１２）。背景画像データが含まれる場合（Ｓ１２でＹｅｓ）、間取り図表示処理部２２は、背景画像情報１５ｃに含まれる全ての背景画像を表示部１１に順次表示させる（Ｓ１３、Ｓ１４）。
【００７６】
続いて、間取り図表示処理部２２は、間取り図用オブジェクト情報１５ａに基づいて、間取り図を構成する全てのシンボル画像を順次表示する（Ｓ１５、Ｓ１６）。さらに、間取り図表示処理部２２は、アイコン用オブジェクト情報１５ｂに基づいて、全てのセンサ／カメラアイコンを順次表示する（Ｓ１７、Ｓ１８）。
【００７７】
なお、間取り図表示処理部２２は、間取り図用オブジェクト情報１５ａのシンボル画像属性情報に基づいて、各シンボル画像を作成し、対応するシンボル表示エリア情報が示す画面上の位置に、作成したシンボル画像を表示する。同様に、間取り図表示処理部２２は、アイコン用オブジェクト情報１５ｂのアイコン属性情報に基づいて、各センサ／カメラアイコンを作成し、対応するアイコン表示エリア情報が示す画面上の位置に、作成したセンサ／カメラアイコンを表示する。
【００７８】
以上にようにして、間取り図表示処理部２２は、画像情報管理部１５が管理する情報に従って、表示部１１に監視領域内の間取り図、背景画像、各センサ／カメラアイコンを表示する。これにより、ユーザは、監視領域内の間取りと、センサ２、カメラ３およびセンサ内蔵カメラ４をどの位置に設置したかを認識することができる。
【００７９】
（タッチパネルの押下に応じた処理）
次に、上記Ｓ８における、タッチパネル１２が押下された際の処理の流れについて、図８のフローチャートを参照しながら説明する。
【００８０】
まず、タッチパネル制御回路１３から押下位置座標を受けた押下アイコン特定部２４は、該押下位置座標と、対応テーブル管理部１６が管理する対応テーブルのうち、カメラ３およびセンサ内蔵カメラ４のアイコン表示エリア情報とを比較する（Ｓ２１）。
【００８１】
次に、押下アイコン特定部２４は、カメラ３およびセンサ内蔵カメラ４のアイコン表示エリア情報のうち、押下位置座標と一致するものがあるか否かを判断する（Ｓ２２）。押下位置座標と一致する表示エリア情報がない場合（Ｓ２２でＮｏ）、図６に示したＳ７の処理に戻る。
【００８２】
一方、押下位置座標と一致するアイコン表示エリア情報がある場合（Ｓ２２でＹｅｓ）、押下アイコン特定部２４は、該アイコン表示エリア情報をアイコン表示変更部２６に出力する。
【００８３】
そして、アイコン表示エリア情報を受けたアイコン表示変更部２６は、該アイコン表示エリア情報が示す表示画面上の位置に表示されているカメラアイコンを所定時間（例えば５秒）だけ点滅させる（Ｓ２３）。つまり、アイコン表示変更部２６は、押下されたカメラアイコンを点滅させる。
【００８４】
次に、押下アイコン特定部２４は、押下位置座標と一致するカメラアイコンのアイコン表示エリア情報に対応するアドレスを対応テーブル管理部１６から読み出し、読み出したアドレスをカメラ映像表示処理部２７に出力する（Ｓ２４）。
【００８５】
続いて、カメラ映像表示処理部２７は、押下アイコン特定部２４から受けたアドレスを有するカメラ３またはセンサ内蔵カメラ４に対して、通信制御回路１４を介して映像要求信号を送信する（Ｓ２５）。
【００８６】
その後、カメラ映像表示処理部２７は、映像要求信号を送信したカメラ３またはセンサ内蔵カメラ４から映像信号を通信制御回路１４を介して受信する（Ｓ２６）。そして、カメラ映像表示処理部２７は、受信した映像信号をデコードし、液晶ディスプレイに表示する（Ｓ２７）。
【００８７】
これにより、ユーザは、所望のカメラ３またはセンサ内蔵カメラ４に対応するカメラアイコンを押下することにより、該カメラ３またはセンサ内蔵カメラ４が撮像した映像を見ることができる。すなわち、ユーザは、所望の場所に設置されたカメラ３またはセンサ内蔵カメラ４の映像を見ることができる。
【００８８】
（外部機器からの信号に応じた起動処理）
次に、ユーザからの起動指示ではなく、外部の機器（センサ２またはセンサ内蔵カメラ４）からの信号によって監視装置１が起動する際の処理について、図９のフローチャートを参照しながら説明する。
【００８９】
まず、通信制御回路１４は、外部の機器からの信号の受信の有無を確認する（Ｓ３１）。外部の機器からの信号を受信していない場合（Ｓ３１でＮｏ）、再度Ｓ３１の処理を行う。
【００９０】
一方、外部の機器からの信号を受信した場合（Ｓ３１でＹｅｓ）、通信制御回路１４は、受信信号を信号判断部２３に出力する。
【００９１】
次に、信号判断部２３は、受信信号の送信先のアドレスを基に、該受信信号が監視装置１に関係する信号であるか否かを判断する（Ｓ３２）。受信信号が監視装置１に関係しない場合（Ｓ３２でＮｏ）、信号判断部２３は、該受信信号を消去し（Ｓ３３）、処理を終了する。
【００９２】
一方、受信信号が監視装置１に関係している場合（Ｓ３２でＹｅｓ）、信号判断部２３は、受信信号がセンサ２またはセンサ内蔵カメラ４からの異常検知信号であるか否かを判断する（Ｓ３４）。
【００９３】
異常検知信号ではない場合（Ｓ３４でＮｏ）、信号判断部２３は、受信信号に応じた処理を行う。例えば、受信信号がインタネット網からの信号である場合、信号判断部２３がアプリ処理部２８に受信信号を送り、アプリ処理部２８が該信号に応じた処理を行い（Ｓ３５）、処理を終了する。
【００９４】
異常検知信号である場合（Ｓ３４でＹｅｓ）、信号判断部２３は、該異常検知信号に含まれる送信元のＬＡＮ内のアドレスをカメラ決定部２５およびアイコン表示変更部２６に、処理開始指示を間取り図表示処理部２２に、中断指示をアプリ処理部２８に出力する。
【００９５】
次に、アプリ処理部２８は、ブラウザ閲覧処理の動作中であるか否かを判断する（Ｓ３６）、ブラウザ閲覧処理の動作中である場合、アプリ処理部２８は、信号判断部２３からの中断指示に従って、動作中の処理を中断する（Ｓ３７）。その後、Ｓ３８の処理に移行する。また、アプリ処理部２８がブラウザ閲覧処理の動作中でない場合もＳ３８の処理に移行する。
【００９６】
その後、Ｓ３８において、処理開始指示を受けた間取り図表示処理部２２は、間取り図等の表示処理を行う。なお、Ｓ３８の処理は、上記Ｓ６（つまり、図７に示すＳ１１〜Ｓ１８）と同じであるため、ここでは説明を省略する。
【００９７】
次に、Ｓ３９において、異常検知信号の送信元のアドレスを受けたアイコン表示変更部２６は、該アドレスに対応するアイコン表示エリア情報を対応テーブル管理部１６から読み出し、読み出したアイコン表示エリア情報が示す表示画面上の位置に表示されているセンサアイコンを所定時間（例えば５秒）だけ点滅させる。このとき、アイコン表示変更部２６は、図示しないスピーカに対して、警報音を発するように制御してもよい。
【００９８】
例えば、アイコン表示変更部２６は、信号判断部２３からＬＡＮ内のアドレス「ＬＡＤＤ４」を受けた場合、図３に示す対応テーブルを参照して、アドレス「ＬＡＤＤ４」に対応するアイコン表示エリア情報「Ｘ５，Ｘ５’，Ｙ５，Ｙ５’」を読み出し、該エリアに表示されているセンサ２ａのセンサアイコンを点滅させる。
【００９９】
次に、異常検知信号の送信元のＬＡＮ内のアドレスを受けたカメラ決定２５は、該ＬＡＮ内のアドレスと、対応テーブル管理部１６が管理する対応テーブルのＬＡＮ内のアドレスとを比較する（Ｓ４０）。
【０１００】
次に、カメラ決定部２５は、信号判断部２３から受けたアドレスと一致するアドレスに対応する関連センサ／カメラ情報を対応テーブル管理部１６から読み出す。さらに、カメラ決定部２５は、読み出した関連センサ／カメラ情報に含まれるカメラ３またはセンサ内蔵カメラ４からの映像を表示すると決定する（Ｓ４１）。
【０１０１】
例えば、カメラ決定部２５は、信号判断部２３からＬＡＮ内のアドレス「ＬＡＤＤ４」を受けた場合、図３に示す対応テーブルを参照して、アドレス「ＬＡＤＤ４」に対応する関連センサ／カメラ情報「カメラ３ａ」を読み出し、該カメラ３ａからの映像を表示すると決定する。
【０１０２】
続いて、カメラ決定部２５は、決定したカメラ３またはセンサ内蔵カメラ４のアドレスを対応テーブル管理部１６から読み出す。例えば、カメラ決定部２５は、図３に示す対応テーブルから、「カメラ３ａ」に対応するアドレス「ＬＡＤＤ１」（または、ＭＡＣアドレス「00:11:22:33:AA:00」）を読み出す。そして、カメラ決定部２５は、読み出したアドレスをカメラ映像表示処理部２７に送る。
【０１０３】
そして、カメラ映像表示処理部２７は、カメラ決定部２５から受けたアドレスを有するカメラ３またはセンサ内蔵カメラ４に対して、通信制御回路１４を介して映像要求信号を送信する（Ｓ４２）。
【０１０４】
その後、カメラ映像表示処理部２７は、映像要求信号を送信したカメラ３またはセンサ内蔵カメラ４から映像信号を通信制御回路１４を介して受信する（Ｓ４３）。そして、カメラ映像表示処理部２７は、受信した映像信号をデコードし、表示部１１に表示する（Ｓ４４）。
【０１０５】
このように、監視装置１は、各センサ２およびセンサ内蔵カメラ４と、該センサ２およびセンサ内蔵カメラ４の異常検知範囲を撮像するカメラ３またはセンサ内蔵カメラ４とを対応付けて記憶する対応テーブル管理部１６と、センサ２またはセンサ内蔵カメラ４から異常検知信号を受信する通信制御回路１４と、受信された異常検知信号から該異常検知信号の発信元のセンサを特定する信号判断部２３と、対応テーブルを参照して、異常検知信号の発信元であるセンサ２またはセンサ内蔵カメラ４に対応するカメラ３またはセンサ内蔵カメラ４を特定するカメラ決定部２５と、特定したカメラ３またはセンサ内蔵カメラ４からの映像を表示部１１に表示させるカメラ映像表示処理部２７とを備える。
【０１０６】
これにより、センサ２またはセンサ内蔵カメラ４が異常を検知した場合（本実施形態では、不審者を検知した場合）、ユーザは、即座に異常を検知したセンサを、表示部１１に表示された画面上のセンサアイコンの点滅によって特定できるとともに、該センサに対応するカメラ３または該センサ内蔵カメラ４からの映像を見ることができる。これにより、ユーザは、異常が発生した要因を容易に確認することができる。
【０１０７】
さらに、監視装置１は、異常検知信号を受信した場合に、監視領域内の間取り図を表示部１１に表示する間取り図表示処理部２２と、異常検知信号を受信した場合に、間取り図上において、異常検知信号を送信したセンサ２またはセンサ内蔵カメラ４の設置箇所に対応する位置に、点滅するセンサ／カメラアイコンを表示するアイコン表示変更部２６とを備え、カメラ映像表示処理部２７は、アイコン表示変更部２６が点滅するセンサ／カメラアイコンを表示した後に、カメラ３またはセンサ内蔵カメラ４からの映像を表示する。
【０１０８】
これにより、まず最初に、ユーザは、異常が発生した場所を認識することができ、その場所の様子を続けて確認することができる。
【０１０９】
（変形例）
上記説明では、登録処理部２１がセンサ／カメラアイコンを含む最小の四角形のうち、対角位置にある２頂点の座標をアイコン表示エリア情報として登録し、押下アイコン特定部２４が該アイコン表示エリア情報と押下位置座標とを比較する構成とした。
【０１１０】
しかしながら、登録処理部２１は、センサ／カメラアイコンの形状に従ったアイコン表示エリア情報を登録してもよい。すなわち、センサ／カメラアイコンが三角形である場合、登録処理部２１は、該センサ／カメラアイコンに対応するアイコン表示エリア情報として、図１０のようなテーブルを対応テーブル管理部１６に登録してもよい。このとき、押下アイコン特定部２４は、押下位置座標が図１０に示す「１」の位置と一致する場合、該該センサ／カメラアイコンが押下されたと判断する。一方、押下アイコン特定部２４は、押下位置座標が図１０に示す「０」の位置と一致する場合、該センサ／カメラアイコンが押下されていないと判断する。これにより、複雑が形状を有するセンサ／カメラアイコンであっても、押下アイコン特定部２４は、該センサ／カメラアイコンが押下されたか否かを正確に判断することができる。
【０１１１】
また、上記説明では、センサ２は、人感センサとしたが、他のセンサであってもよい。例えば、窓ガラスに設置した振動を検知する振動センサや、ガス漏れを検知するガスセンサ、火災の発生を検知する火災センサなどのあらゆるセンサが考えられる。
【０１１２】
また、監視装置１は、図１１に示されるように、アイコン表示変更切換部（切換手段）２９を備えていてもよい。アイコン表示変更切換部２９は、ユーザからの入力に応じて、アイコン表示変更部２６の機能をオン／オフを切り換えるものである。
【０１１３】
カメラ映像を何回も見ているユーザは、カメラの映像を確認するだけでどの場所かを特定できる。このような場合、アイコン表示変更切換部２９は、ユーザからの入力に応じて、アイコン表示変更部２６の機能をオフを切り換え、異常検知信号を送信したセンサ２またはセンサ内蔵カメラ４に対応するセンサ／カメラアイコンの表示変更（点滅表示）を行わせない。これにより、センサ２またはセンサ内蔵カメラ４から異常検知信号を受けた際に、監視装置１は即座に対応するカメラ３またはセンサ内蔵カメラ４の映像を表示することができる。これにより、ユーザは、異常が検知された場所の様子を即座に認識することができる。
【０１１４】
また、上記説明では、登録処理部２１は、センサ２およびセンサ内蔵カメラ４について、一つのカメラ３またはセンサ内蔵カメラ４を含む関連センサ／カメラ情報を登録するものとした。しかしながら、登録処理部２１は、各センサ２およびセンサ内蔵カメラ４について、複数のカメラ３およびセンサ内蔵カメラ４を関連センサ／カメラ情報として登録してもよい。これにより、ユーザは、あるセンサ２に関連するカメラとして、該センサ２に近い複数のカメラ３を登録することができる。
【０１１５】
また、登録処理部２１は、あるセンサ２について、一つのカメラ３が関連センサ／カメラ情報として入力された場合、アイコン表示エリア情報を参照して、入力されたカメラ３に最も近接するカメラ３またはセンサ内蔵カメラ４を抽出し、抽出したカメラ３またはセンサ内蔵カメラ４と、入力されたカメラ３とを関連センサ／カメラ情報として登録してもよい。
【０１１６】
このように、複数のカメラ３およびセンサ内蔵カメラ４が関連センサ／カメラ情報として登録された場合、センサ２またはセンサ内蔵カメラ４からの異常検知信号を受けたときの監視装置１の処理の流れは、図１２に示すフローチャートのようになる。
【０１１７】
図１２に示されるように、監視装置１は、上記Ｓ３１〜Ｓ４１の処理を行う。その後、カメラ映像表示処理部２７は、カメラ決定部２５から受けたアドレスが複数であるか否か、つまり、複数のカメラからの映像を表示するか否かを判断する（Ｓ５１）。
【０１１８】
次に、複数のカメラからの映像を表示する場合（Ｓ５１でＹｅｓ）、表示部１１の表示画面を該カメラの数に分割する（Ｓ５２）。その後、Ｓ５３の処理に移行する。一方、一つのカメラからの映像を表示する場合（Ｓ５１でＮｏ）にも、Ｓ５３の処理に移行する。
【０１１９】
次に、Ｓ５３において、カメラ映像表示処理部２７は、カメラ決定部２５から受けたアドレスを有するカメラ３またはセンサ内蔵カメラ４に対して、通信制御回路１４を介して映像要求信号を送信する。
【０１２０】
その後、カメラ映像表示処理部２７は、映像要求信号を送信したカメラ３またはセンサ内蔵カメラ４から映像信号を受信し、受信した映像信号をデコードして表示部１１に表示する（Ｓ５４）。この際、Ｓ５２に表示画面を分割している場合には、カメラ映像表示処理部２７は、映像を表示していない分割画面に受信した映像を表示する。
【０１２１】
次に、カメラ映像表示処理部２７は、Ｓ４１で決定した全てのカメラ３およびセンサ内蔵カメラ４からの映像を表示したか否かを判断する（Ｓ５５）。全てのカメラ３およびセンサ内蔵カメラ４からの映像を表示していない場合（Ｓ５５でＮｏ）、Ｓ５４の処理に戻る。一方、全てのカメラ３およびセンサ内蔵カメラ４からの映像を表示した場合（Ｓ５５でＹｅｓ）、処理を終了する。
【０１２２】
このようにして、ユーザは、センサ２またはセンサ内蔵カメラ４が異常を検知した場合、複数のカメラからの映像を視認することができる。ユーザは、異常を検知したセンサ２またはセンサ内蔵カメラ４と近い複数のカメラ３を関連センサ／カメラ情報として予め登録することで、一度に広い範囲の映像を確認することができ、不審者が移動したとしても、不審者を見つけ易くなる。
【０１２３】
なお、複数のカメラからの映像を表示する場合、カメラ映像表示処理部２７は、タッチパネル制御回路１３からの押下位置座標を基に、押下された分割画面を特定し、特定した分割画面を拡大表示してもよい。これにより、ユーザは、複数の映像のうち不審者が映っている映像画面を押下することで、拡大した画面で不審者を見ることができる。
【０１２４】
また、上記説明では、アプリ処理部２８は、ブラウザ閲覧アプリケーションの処理を行うものとしたが、他のアプリケーション（例えば、電子メールソフトなど）であってもよい。
【０１２５】
また、カメラ映像表示処理部２７は、ユーザからの指示に従って、カメラ３およびセンサ内蔵カメラ４のパンやチルトを制御してもよい。これにより、ユーザは、より広い範囲の映像を確認することができる。
【０１２６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２７】
最後に、監視装置１の各ブロック、特に制御部１７は、ハードウェアロジックによって構成してもよいし、次のようにＣＰＵを用いてソフトウェアによって実現してもよい。
【０１２８】
すなわち、監視装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである監視装置１の制御プログラムのプログラムコード（実行形式プログラム、中間コードプログラム、ソースプログラム）をコンピュータで読み取り可能に記録した記録媒体を、上記監視装置１に供給し、そのコンピュータ（またはＣＰＵやＭＰＵ）が記録媒体に記録されているプログラムコードを読み出し実行することによっても、達成可能である。
【０１２９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３０】
また、監視装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３１】
本発明の画像表示装置は、異常が発生した際に即座に異常が発生した場所の様子を表示することができるため、セキュリティ装置などに適用できる。
【図面の簡単な説明】
【０１３２】
【図１】本発明の実施形態に係る監視装置の内部構成を示すブロック図である。
【図２】本実施形態に係るセキュリティシステムの構成を示すブロック図である。
【図３】上記監視装置が備える対応テーブル管理部が管理する対応テーブルの一例を示す図である。
【図４】間取り図を作成する際の表示部の表示画面例である。
【図５】アイコン表示エリア情報を示す図である。
【図６】ユーザからの起動指示に応じた監視装置の処理の流れを示すフローチャートである。
【図７】監視装置における間取り図等の表示処理の流れを示すフローチャートである。
【図８】タッチパネル１２が押下された際の処理の流れを示すフローチャートである。
【図９】外部の機器からの信号によって起動する際の監視装置１の処理の流れを示すフローチャートである。
【図１０】アイコン表示エリア情報の他の例を示す図である。
【図１１】監視装置の他の構成例を示すブロック図である。
【図１２】複数のカメラ表示をする場合の処理の流れを示すフローチャートである。
【符号の説明】
【０１３３】
１  監視装置（画像表示装置）
２  センサ
３  カメラ
４  センサ内蔵カメラ（センサ、カメラ）
１１  表示部
１２  タッチパネル
１３  タッチパネル制御回路
１４  通信制御回路（信号受信手段）
１５  画像情報管理部（表示エリア情報記憶部）
１５ａ  間取り図用オブジェクト情報
１５ｂ  アイコン用オブジェクト情報（表示エリア情報）
１５ｃ  背景画像情報
１６  対応テーブル管理部（対応テーブル記憶部）
１７  制御部
２０  起動指示受付部
２１  登録処理部
２２  間取り図表示処理部（間取り図表示手段）
２３  信号判断部（センサ特定手段）
２４  押下アイコン特定部
２５  カメラ特定部（カメラ特定手段）
２６  アイコン表示変更部（異常センサ画像表示手段）
２７  カメラ映像表示処理部（カメラ映像表示手段）
２８  アプリ処理部
２９  アイコン表示変更切換部（切換手段）
【図１】
2007049378.tif 000003
【図２】
2007049378.tif 000004
【図３】
2007049378.tif 000005
【図４】
2007049378.tif 000006
【図５】
2007049378.tif 000007
【図６】
2007049378.tif 000008
【図７】
2007049378.tif 000009
【図８】
2007049378.tif 000010
【図９】
2007049378.tif 000011
【図１０】
2007049378.tif 000012
【図１１】
2007049378.tif 000013
【図１２】
2007049378.tif 000014